(57)【要約】【課題】複数の選択肢の中から選択する操作を容易にする。【解決手段】カメラ付き携帯電話１０は、ＬＣＤパネル２２、モード選択キー３１、決定キー３２、シャッタボタンキー３３、キャンセルキー３４、カーソルキー３５、テンキー３６ａ〜３６ｌを備えている。再生モード下でＬＣＤパネル２２にインデックス画像７０を表示したとき、カーソルキー３５を操作すると選択範囲７１が上下左右方向に移動し、さらにテンキー３６ａ〜３６ｉのいずれかを押圧操作すると、選択範囲７１内の画像のうち、テンキー３６ａ〜３６ｉの位置に対応する画像が選択され、ＬＣＤパネル２２に再生画像７５が大きく表示される。【選択図】図７
2007189424.tif 000002
【特許請求の範囲】
【請求項１】
複数の選択肢を行列状に配列して表示する表示手段と、この表示手段に前記選択肢が表示されているときに選択入力を行う操作手段とを備えた携帯型電子機器において、
前記操作手段は、０〜９の数字又はそれ以外の文字が付され、行列状に配列されたテンキーを少なくとも含んでおり、前記選択肢のうち前記テンキーの配列に合わせた選択範囲を指定し、前記選択範囲内の選択肢と対応する位置の前記テンキーを操作することによって選択を決定することを特徴とする携帯型電子機器。
【請求項２】
前記操作手段は、前記テンキーとともに、上下左右方向を指定する方向指定手段を含んでおり、この方向指定手段の操作に応じて前記選択範囲の位置を上下左右方向へ移動させて指定した後、前記テンキーによる選択決定を行うことを特徴とする請求項１記載の携帯型電子機器。
【請求項３】
複数の選択肢を行列状に配列して表示する表示手段と、この表示手段に前記選択肢が表示されているときに選択入力を行う操作手段とを備えた携帯型電子機器で前記選択肢の選択操作を実行する選択処理プログラムにおいて、
前記操作手段は、０〜９の数字又はそれ以外の文字が付され、行列状に配列されたテンキーを含んでおり、前記選択肢のうち前記テンキーの配列に合わせた選択範囲を指定する選択範囲指定処理、前記選択範囲内の選択肢と対応する位置の前記テンキーを操作することによって選択を決定する選択決定処理とを携帯型電子機器に行わせることを特徴とする選択処理プログラム。
【請求項４】
前記操作手段は、前記テンキーとともに、上下左右方向を指定する方向指定手段を含んでおり、前記選択範囲指定処理は、前記方向指定手段の操作に応じて前記選択範囲の位置を上下左右方向へ移動させて指定することを特徴とする請求項３記載の選択処理プログラム。
【発明の詳細な説明】
【技術分野】
【０００１】
本発明は、表示パネルに表示した多数の選択肢の中から選択操作を行う携帯型電子機器及び選択処理プログラムに関する。
【背景技術】
【０００２】
近年、ＣＣＤなどの撮像素子を用いて撮像した画像をデジタルの画像データに変換し、内蔵メモリやメモリカードなどの記憶媒体に記憶するデジタルカメラが普及してきており、さらに撮像素子の小型化、ローコスト化が進んできていることから、携帯電話や、ＰＤＡなどの情報端末にデジタルカメラを組み込んだものが多くなってきている。このようなデジタルカメラ、あるいはデジタルカメラを組み込んだカメラ付き携帯電話などでは、画像を表示するＬＣＤパネルなどの表示手段を備えており、記憶媒体から読み出した画像を表示手段に再生表示させることが一般的である。
【０００３】
ところで、最近では、メモリカードなどの記憶媒体の大容量化が進んできており、これらの記憶媒体の中により多くの画像データを保存できるようになってきている。そこで、画像再生を行うときには、先ず、表示手段に画像データのリストを多数配列した画像選択画面を表示して、その中からユーザーが所望する１つの画像データを選択し、この選択された画像データを読み出してＬＣＤパネルにより大きな画像を再生するようにしている。従来は、このような画面選択画面から１つの画像を選択するときには、カーソルボタンなどの上下左右方向を入力する操作手段によってユーザーは入力操作を行い、このカーソルボタンによる入力操作でユーザーが所望する画像の位置に移動したときに、例えば決定ボタンを押圧するなどして選択を確定するようになっている。
【０００４】
一方で、携帯型電子機器の入力では、部品配置の効率からスイッチやボタンなどの操作部材をなるべく小さく且つ少ない数で構成しなければならならず、キーボードやタブレットなどを有する電子機器に比較すると操作性が低下する傾向になる。そこで、携帯型電子機器の操作性を向上させるための様々な構成が提案されており、例えば特許文献１に記載されている携帯情報端末装置では、ジョグダイヤルと呼ばれる回転操作及び押圧操作による入力を兼ねる操作部材を備えており、ＬＣＤパネルに画像選択画面が選択されているとき、ジョグダイヤルを回転及び押圧操作することによって１つの画像データを選択決定するようにしている。
【特許文献１】特開２００２−２８１１５０号公報
【発明の開示】
【発明が解決しようとする課題】
【０００５】
しかしながら、多数の画像データの中から１つの画像を選択するためには、カーソルボタンで何度も上下左右方向の入力を行ったり、上記特許文献１に記載されたジョグダイヤルで何度も回転操作したりしなければならず、所望の画像を選択するまでに手間や時間が掛かかることがあった。
【０００６】
また、デジタルカメラやカメラ付き携帯電話の操作では、上述のような画面選択画面からの画像の選択だけでなく、各種メニューや設定項目などを表示手段に表示して選択操作を行うことが多く、このようなメニュー、設定項目などの選択操作でも、同様に手間と時間が掛かるという問題がある。
【０００７】
本発明は上記事情を考慮してなされたものであり、表示手段に表示された複数の選択肢の中から選択する操作を容易に行うことが可能な携帯型電子機器及び選択処理プログラムを提供することを目的とする。
【課題を解決するための手段】
【０００８】
本発明の携帯型電子機器は、複数の選択肢を行列状に配列して表示する表示手段と、この表示手段に前記選択肢が表示されているときに選択入力を行う操作手段とを備えた携帯型電子機器において、前記操作手段は、０〜９の数字又はそれ以外の文字が付され、行列状に配列されたテンキーを少なくとも含んでおり、前記選択肢のうち前記テンキーの配列に合わせた選択範囲を指定し、前記選択範囲内の選択肢と対応する位置の前記テンキーを操作することによって選択を決定することを特徴とする。なお、前記操作手段は、前記テンキーとともに、上下左右方向を指定する方向指定手段を含んでおり、この方向指定手段の操作に応じて前記選択範囲の位置を上下左右方向へ移動させて指定した後、前記テンキーによる選択決定を行うことが好ましい。なお、方向指定手段としては、一般的なカーソルキー、トラックボール、ダイヤル式の操作部材など方向を指定入力できる操作手段であればよい。
【０００９】
また、請求項３記載の選択処理プログラムでは、複数の選択肢を行列状に配列して表示する表示手段と、この表示手段に前記選択肢が表示されているときに選択入力を行う操作手段とを備えた携帯型電子機器で前記選択肢の選択操作を実行する選択処理プログラムにおいて、前記操作手段は、０〜９の数字又はそれ以外の文字が付され、行列状に配列されたテンキーを含んでおり、前記選択肢のうち前記テンキーの配列に合わせた選択範囲を指定する選択範囲指定処理、前記選択範囲内の選択肢と対応する位置の前記テンキーを操作することによって選択を決定する選択決定処理とを携帯型電子機器に行わせることを特徴とする。なお、前記操作手段は、前記テンキーとともに、上下左右方向を指定する方向指定手段を含んでおり、前記選択範囲指定処理は、前記方向指定手段の操作に応じて前記選択範囲の位置を上下左右方向へ移動させて指定することが好ましい。
【発明の効果】
【００１０】
本発明の携帯型電子機器及び選択処理プログラムによれば、表示手段に表示された複数の選択肢のうち、テンキーの配列に合わせた選択範囲を指定し、選択範囲内の選択肢と対応する位置のテンキーを操作することによって選択を決定しているので、選択操作の際に掛かる手間と時間を削減し、容易に選択操作を行うことができる。
【００１１】
なお、方向指定手段の操作に応じて選択範囲の位置を上下左右方向へ移動させて指定した後、テンキーによる選択決定を行うことによって、選択操作に掛かる手間と時間をさらに削減することができる。
【発明を実施するための最良の形態】
【００１２】
以下、図面を参照して本発明を適用した携帯型電子機器としてのカメラ付き携帯電話について説明する。図１及び図２の外観斜視図に示すように、カメラ付き携帯電話１０は、第１の筐体１１と、第２の筐体１２と、これらの筐体１１，１２を回動自在に連結するヒンジ部１３とを備える。
【００１３】
筐体１１，１２はともに略矩形の薄板形状に形成されており、第１の筐体１１の背面には、カメラ部１５が設けられている。このカメラ部１５は、外部に露呈する撮影レンズ１６の奥に撮像素子としてのＣＣＤ１７（図３参照）を備えている。なお、撮像素子としてはＣＣＤを例に上げて説明したが、本発明はこれに限らずＣＭＯＳなど他の撮像素子でもよい。ＣＣＤ１７は撮影レンズ１６によって結像された被写体像を光電変換して撮像信号を出力する。カメラ付き携帯電話１０は、ヒンジ部１３を介して筐体１１，１２のいずれかを回動させることによって、筐体１１，１２の前面がともに露呈する展開状態、または筐体１１，１２の前面がともに向かい合うように折り畳まれる折り畳み状態となる。
【００１４】
さらに、第１の筐体１１の前面には、ＬＣＤパネル（表示手段）２２及び受話スピーカ２３が、第２の筐体１２の前面には操作部２４及び送話マイク２６が、一方の側面にはメモリカード２７を接続するためのカードスロット２８が設けられている。
【００１５】
操作部２６は、モード選択キー３１、決定キー３２、シャッタボタンキー３３、キャンセルキー３４、カーソルキー（方向指定手段）３５、テンキー３６ａ〜３６ｌなどからなる。モード選択キー３１は、通話モード、撮影モード、再生モードなどのモード選択を行うものであり、決定キー３２は操作を確定するときなどに押圧操作する。また、シャッタボタンキー３３は、撮影モードのときに押圧操作することによってカメラ部１５が動作して撮像信号を取得し、画像データをメモリカード２７に記録する。キャンセルキー３４は一度選択した状態を解除して初期状態に戻ったり、前の画面に戻るなどの入力を行う。カーソルキー３５は、上下及び左右方向を示す指標が形成されており、この指標の位置を押圧操作することによって上下及び左右方向の入力を行う。さらにテンキー３６ａ〜３６ｌは、０〜９の数字及び「♯」、「＊」などの文字が付してあり、数字又は文字の入力、及び後述する選択入力の際に押圧操作する。
【００１６】
カメラ付き携帯電話の電気的構成を示す図３のブロック図において、ＣＰＵ５０は、カメラ付き携帯電話１０の動作を統括的に制御する。このＣＰＵ５０は、データバス５１を介して上述したカメラ部１５、操作部２６の他に、受話スピーカ２３および送話マイク２６で入出力される音声に対してノイズ除去などの各種処理を施す音声処理回路５３、ＬＣＤパネル２２の表示制御を行うＬＣＤドライバ５４、メモリカードスロット２８に装着されたメモリカード２７へのデータの入出力制御を行うメディアコントローラ５６、アンテナ５７ａを介して電波信号の送受信を行う通信Ｉ／Ｆ５７などが接続されている。
【００１７】
カメラ部１５は、撮影レンズ１６、ＣＣＤ１７及び信号処理回路５８からなる。ＣＣＤ１７は、ＣＰＵ５０に接続されたタイミングジェネレータ５９によって動作制御され、撮像信号を出力する。信号処理回路５８は、ＣＣＤ１７から出力された撮像信号に対して、サンプリング、増幅、Ａ／Ｄ変換を施し、デジタルの画像データを出力する。信号処理回路６１から出力された画像データは、データバス５１を介してフレームメモリ６０に一旦格納される。
【００１８】
フレームメモリ６０に一旦格納された画像データは、ＬＣＤドライバ５４を介してＬＣＤパネル２２にスルー画像として表示される。あるいは、シャッタボタンキー３３によってシャッタレリーズを行った後、メディアコントローラ５６を介してメモリカード２７に記録される。また、データバス５１には、ＲＯＭ６２が接続されている。ＲＯＭ６２には、各モード下で処理を行う実行プログラムや各種の設定情報等が記憶されている。
【００１９】
なお、メモリカード２７に画像データが保存されるときは、図４に示すようなディレクトリ構造となっている。メモリカード２７のルートディレクトリ６３には、画像フォルダ６４と、管理フォルダ６６とが設けられており、画像フォルダ６４内には、各画像データ６７が保存されており、管理フォルダ６６には、管理情報ファイル６８及びサムネイル画像６９が保存される。各サムネイル画像６９はそれぞれ、各画像データ６７に対応しており、これらが関連付けされていることを示す情報が管理情報ファイル６８に書き込まれている。
【００２０】
以下では、再生モード下での画像の選択及び再生表示のシーケンスについて図５に示すフローチャートに沿って説明する。モード選択キー３１を押圧操作して再生モードを選択すると、ＣＰＵ５０は、メモリカード２７に保存された画像データに対応するサムネイル画像を全て読み出し、図６に示すインデックス画像７０をＬＣＤパネル２２に表示させる。このインデックス画像７０では、縦６行×横５列の行列状に配列された画像コマにサムネイル画像がそれぞれ表示される。
【００２１】
上述したインデックス画像７０が表示された直後は、図７（Ａ）に示すように、画面略中央の初期位置に選択範囲７１が表示されている。この選択範囲７１はその周囲を太線枠７２で囲んで表示しており、さらに選択範囲７１と、それ以外の部分（ハッチングの掛かった箇所）とを異なる表示、例えば、選択範囲７１は明るく、それ以外は暗く表示されるようにしたり、あるいは選択範囲７１は通常のサムネイル画像を表示し、それ以外の部分は赤、青などの色フィルタが掛かった状態で表示したりする。この選択範囲７１は、本実施形態では、横３×縦３列の画像コマが囲まれた範囲で、この選択範囲７１の各画像コマの位置と１〜９のテンキー３６ａ〜３６ｉの位置とがそれぞれ対応している。
【００２２】
そして、初期位置に選択範囲７１が表示された状態（図７（Ａ）に示す状態）で、カーソルキー３５を操作すると、選択範囲７１の表示が上下左右に移動する（図７（Ｂ）に示す状態）。なお、本実施形態では、カーソルキー３５を一回押圧操作することによって、選択範囲７１が画像コマの１列分だけ移動するように設定されている。また、図７（Ｂ）では、選択範囲７１が右方向及び下方向に各１列分移動した例を示している。そして、ユーザーは、自身が所望する画像が含まれる位置に選択範囲７１を移動させると、次にテンキー３６ａ〜３６ｉのいずれかを押圧操作して画像を選択する。例えば、選択範囲７１内の右下に位置するサムネイル画像７１ａ（図７（Ｂ）参照）を選択したい場合には、その位置に対応するテンキー３６ｉ（図７（Ｂ）の点線矩形枠で示す）を押圧操作する。このようにしてテンキー３６ａ〜３６ｉが押圧操作されると、選択範囲７１内のテンキー３６ａ〜３６ｉの位置に対応するサムネイル画像の選択が決定し、選択されたサムネイル画像に対応する画像データ（もとの画像）がメモリカード２７から読み出され、この画像データに基づく再生画像７５がＬＣＤパネル２２に大きく表示される（図７（Ｃ）に示す状態）。
【００２３】
上述のようにカーソルキー３５による選択範囲７１の移動と、選択範囲７１に対応するテンキー３６ａ〜３６ｉの入力で画像の選択操作を行うことができるため、インデックス画像７０に多数の画像が表示される場合でも、カーソルキー、テンキーなどを操作する回数を少なくすることができる。よって、選択操作に掛かる手間や時間を省くことが可能であり、容易に選択操作を行うことができる。
【００２４】
なお、上記第１実施形態においては、カーソルキー３５の押圧操作に応じて選択範囲７１が上下左右方向に移動するとき、１回の押圧操作に対して画像コマの１列分だけ移動する設定としているが、本発明はこれに限るものではなく、図８に示すように、インデックス画像８０内の選択範囲８１が初期位置（図８（Ａ）に示す状態）から、カーソルキー３５の一回の押圧操作によって選択範囲８１の縦横のサイズ分、すなわち上下左右いずれかの指定方向へ画像コマ３列分移動（図８（Ｂ）に示す状態）する設定としてもよい。なお、図８に示す例では、縦９行×横９列のインデックス画像で縦３行×横３列の選択範囲を表示する例を示しているが、行数及び列数はこれらに限るものではない。また、これらに限らず、カーソルキー３５の１回の押圧操作に対して選択範囲８１の縦横サイズの範囲内で移動すればよい。
【００２５】
また、上記第１実施形態においては、多数の画像コマが表示されたインデックス画像に対して選択範囲の表示が移動することによって、所望の画像の位置に選択範囲を合わせる設定にしているが、本発明はこれに限るものではなく、例えば図９に示すように、選択範囲９１を所定位置（ＬＣＤパネルの画面中央）に固定し、インデックス画像９０の表示をスクロール移動して切り換えるようにすればよい。なお、図９に示す例では、メモリカード２７に保存された画像を縦９行×横９列の画像コマに配列したインデックス画像（点線で示す範囲）９０を設定しており、選択範囲９１は縦３行×横３列に設定している。そして、図９（Ａ）に示す初期状態では、選択範囲９１には、インデックス画像の中央９コマ分（縦３行×横３列）のサムネイル画像が表示されている。そして、カーソルキー３５の操作によって方向を指定すると、カーソルキー３５の指定方向とは反対の方向にインデックス画像９０がスクロールして表示を切り替える（図９（Ｂ）に示す状態）。なお、図９（Ｂ）に示す例では、カーソルキー３５によって左方向を指定することによって、インデックス画像９０が右方向へスクロール移動した場合を図示している。このような構成で、画像の選択及び再生表示を行うシーケンスについて図１０に示すフローチャートに沿って説明する。先ず再生モードが選択されるとＣＰＵ５０は、メモリカード２７からサムネイル画像を読み出してインデックス画像９０を作成し、図９（Ａ）に示す初期状態のインデックス画像を表示する。そして、カーソルキー３５を操作して上下及び左右の方向を入力すると、ＣＰＵ５０は、その指定方向においてインデックス画像９０の画像コマが存在するか否かの判定、すなわち、選択範囲９１が指定方向の端部（インデックス画像９０の上下左右の最も外側の画像コマを含む列）の位置にあるときは、スクロール移動を停止して前の選択範囲９１の画像をそのまま表示し、選択範囲９１が指定方向の端部に位置していないときは、カーソルキー３５で指定した方向とは反対の方向にインデックス画像９０をスクロール移動して選択範囲９１内のサムネイル画像の表示を切り換える。このようにして選択範囲９１内に所望の画像が位置するようにカーソルキー３５を操作した後は、上記第１実施形態と同様に、選択範囲９１内の位置に対応するテンキー３６ａ〜３６ｉを押圧操作して画像の選択を決定し、サムネイル画像に対応するもとの画像データが読み出されてＬＣＤパネル２２に画像が再生される。
【００２６】
なお、上記第１実施形態においては、画像を撮影して記録するカメラ機能を有するカメラ付き携帯電話を例に上げて説明しているが、本発明はこれに限らず、画像データを取得してＬＣＤパネルなどの表示手段に表示する構成を有するものであればよく、デジタルカメラ、カメラ付き情報端末、パーソナルコンピュータなど他の携帯型電子機器にも適用することができる。さらにカメラ機能が無くても、データベースに保存された画像を読み出して表示手段に表示する携帯型電子機器などにも本発明は適用することができる。以下で説明する第２実施形態では、データベースを有するサーバーと通信を行い、そのデータベースから読み出した多数の画像データに基づくインデックス画像を表示して選択操作を行う構成としている。図１１には、第２実施形態を適用した携帯型電子機器としての携帯電話１００、及びこの携帯電話１００とネットワーク１１５を介して通信するサーバー１１０とを図示している。なお、この第２実施形態を適用した携帯電話１００の部品構成は、上記第１の実施形態の携帯電話１０と同じ部品については同符号を付して説明を省略する。携帯電話１００のＲＯＭ１０１には、画像表示プログラムＰＧが格納されており、携帯電話１００のＣＰＵ１０２は、画像表示プログラムＰＧを実行することでサーバー１１０に画像データを要求、取得してＬＣＤパネル２２に画像を表示させる機能を有する。
【００２７】
また、サーバー１１０は、多数の画像データ、これらの画像データに対応するサムネイル画像データ、及びこれらの画像データに関する情報が記憶されたデータベース１１１と、ネットワーク１０５と接続し、ＰＤＡ１００と通信を行う通信インターフェース１１２と、これらを統括的に制御するＣＰＵ１１３とを備えている。
【００２８】
上記構成の携帯電話１００で画像選択及び再生を行うときのシーケンスを図１２に示すフローチャートに沿って説明する。携帯電話１００で画像再生プログラムＰＧを起動すると、先ずＣＰＵ１０２は、通信インターフェース５７によってサーバー１１０と通信し、サムネイル画像データを読み出す。ＣＰＵ１０２は、読み出したサムネイル画像データに基づいてインデックス画像を作成してＬＣＤ２２に表示する。ユーザーはＬＣＤ２２に表示されたインデックス画像を見ながらカーソルボタン３５を操作して選択範囲を上下左右方向に移動させる。ユーザーは選択範囲の中に所望の画像が含まれることを視認すると、画像の位置に対応するテンキー３６ａ〜３６ｉを押圧操作し、選択画像が決定される。選択画像が決定されると、ＣＰＵ１０２は、通信インターフェース５７によってネットワークと接続し、選択画像に対応するもとの画像データをサーバー１１０へ要求する。そしてデータベース１１０はネットワーク１０５を介して携帯電話１００からの要求を受信し、この要求された画像データをデータベース１１０が読み出して送信する。携帯電話１００は、ネットワーク１０５を介して要求した画像データを取得すると、この画像データに基づきＬＣＤ２２に画像を大きく表示する。
【００２９】
なお、上記第２の実施形態においては、１つの選択画像を決定した後に、画像データをサーバーへ要求、取得するようにしているが、本発明はこれに限るものではなく、例えば、最初に選択範囲が表示された状態及び選択範囲の移動が終了した状態のときに、選択範囲内の画像に対応する画像データ全てをサーバーへ要求し、これら全ての画像データを取得してフレームメモリに一時保存しておくようにしてもよい。これによって、選択を決定してから画像を読み出して表示するまでの時間を短縮することができる。
【００３０】
さらに、上記第２実施形態で画像表示までの時間を短縮するための方法としては、選択画像を予測処理して画像をサーバーへ要求、取得して画像を読み出す方法を用いることもできる。この予測処理とは、カーソルキーによる入力操作に応じて選択範囲が移動するとき、最初に表示された選択範囲から次の選択範囲への移動が終了する前の段階で、カーソルボタンの入力操作で指定した方向において、次の画像コマの１列分に対応する画像データを予めサーバーへ要求、取得し、フレームメモリに蓄積させておくようにする。これによって、選択範囲が次の位置へ移動したときには、直ぐにフレームメモリから画像が読み出せるようになっており、画像を選択して表示させるまでの時間をさらに短縮させることができる。なお、この画像データの予測処理としては、最初の選択範囲から次の画像コマの１列分の画像データに限定するものではなく、カーソルキーの指定した方向において、さらに１列分、２列分…と先読みすることが好ましく、電子機器の処理能力に応じてより多くの画像データを要求、取得するようにしてもよい。
【００３１】
また、上記実施形態では、インデックス画面から１つの画像を選択するときの選択操作を例に上げて説明しているが、本発明はこれに限るものではなく、各種設定を行うメニュー画面や、電話番号やアドレスのリスト表示など多数の選択肢を配列した画面表示を行って、それらの選択肢の中から１つを選択するときの選択操作であれば適用することができる。
【００３２】
さらにまた、上記実施形態では、１〜９の数字が付されたテンキーに対応する縦３行×横３列の選択範囲を設定して選択操作を行うようにしているが、本発明はこれに限るものではなく、例えば縦４行×横３列（０、＊、♯などのテンキーも含める）や、縦５行×横２列、縦２行×横５列、縦３行×横４列など、携帯型電子機器に設けられるテンキーの配列に応じて設定すればよい。
【００３３】
あるいは、上記実施形態では、方向指定手段としてカーソルキーを例に上げて説明しているが、これに限るものではなく、トラックボールや、タッチパネル、ダイヤル式の操作部材を使用するものなど、方向を指定入力可能な操作手段であればよい。
【図面の簡単な説明】
【００３４】
【図１】カメラ付き携帯電話の正面側斜視図である。
【図２】カメラ付き携帯電話の背面側斜視図である。
【図３】カメラ付き携帯電話の電気的構成の概略を示すブロック図である
【図４】メモリカードに保存される画像データのディレクトリ構造を示す説明図である。
【図５】第１実施形態を適用したカメラ付き携帯電話を再生モードで使用するときのシーケンスを示すフローチャートである。
【図６】再生モード時の表示画面を示す正面図である。
【図７】再生モードで画像を選択するときの状態を示す説明図である。
【図８】選択範囲を移動させるときの一例を示す説明図である。
【図９】インデックス画像をスクロール移動させるときの状態を示す説明図である。
【図１０】インデックス画像をスクロール移動させる設定にしたカメラ付き携帯電話を再生モードで使用するときのシーケンスを示すフローチャートである。
【図１１】第２実施形態を適用した携帯電話及び携帯電話と通信するサーバーの電気的構成の概略を示すブロック図である。
【図１２】第２実施形態を適用した携帯電話で画像表示プログラムを実行するときのシーケンスを示すフローチャートである。
【符号の説明】
【００３５】
１０  カメラ付き携帯電話（携帯型電子機器）
２２  ＬＣＤパネル（表示手段）
２４  操作部（操作手段）
３５  カーソルキー（方向指定手段）
３６ａ〜３６ｌ  テンキー
５０，１０２  ＣＰＵ
７０，８０，９０  インデックス画像
７１，８１，９１  選択範囲
１００  携帯電話（携帯型電子機器）
【図１】
2007189424.tif 000003
【図２】
2007189424.tif 000004
【図３】
2007189424.tif 000005
【図４】
2007189424.tif 000006
【図５】
2007189424.tif 000007
【図６】
2007189424.tif 000008
【図７】
2007189424.tif 000009
【図８】
2007189424.tif 000010
【図９】
2007189424.tif 000011
【図１０】
2007189424.tif 000012
【図１１】
2007189424.tif 000013
【図１２】
2007189424.tif 000014